(57)【特許請求の範囲】
【請求項１】
ズボン（１）の股上（１ａ）の布地を弛ませた状態にすることにより、該ズボン（１）の布地が身体部位の膝、太ももにまとわり付くことを解消する違和感解消型ズボンであって、
前記ズボン（１）の布地の股上（１ａ）の開口周縁かつ前開き部分となるフライ（４）の両側に隣接した２か所に、股下（１ｂ）に向けて切込みを入れた切込み凹部（９，１１，１２）を形成し、
前記切込み凹部（９，１１，１２）が形成された布地は、該切込み凹部（９，１１，１２）の形状が伸ばされたときに同時に変形するものであり、
前記ズボン（１）を人が着用した際に、前記切込み凹部（９，１１，１２）がその人の胴囲で直線状に伸ばされたときに、該切込み凹部（９）に連続した布地が吊り上げられ、股上（１ａ）部分の布地に弛みが生じるように構成した、ことを特徴とする違和感解消型ズボン。
【請求項２】
前記切込み凹部（９，１１，１２）は前記ズボン（１）のウエストバンド（２）に形成されたものである、ことを特徴とする請求項１の違和感解消型ズボン。
【請求項３】
前記切込み凹部（９，１１，１２）は、前記ズボン（１）の股上（１ａ）の開口周縁の布地に湾曲した形状に切込みを入れたものである、ことを特徴とする請求項１又は２の違和感解消型ズボン。
【請求項４】
前記ズボン（１）の股下（１ｂ）の下端部（１ｃ）において、前記切込み凹部（９，１１，１２）が形成された側の開口縁（１ｄ）が、該切込み凹部（９）が形成されていない側の開口縁（１ｅ）より下方へ長く形成された、ことを特徴とする請求項１又は２の違和感解消型ズボン。
【発明の詳細な説明】
【技術分野】
【０００１】
本発明は、ズボンの布地が身体部位の膝、太ももへまとわり付くことを解消する違和感解消型ズボンに関する。
【背景技術】
【０００２】
従来より、ズボンを穿いた者が座る際に、膝を曲げるときにズボンの膝部分の布地を摘まみ少し吊り上げるようにしている。これは伸縮性のないズボンは立っている状態から膝を曲げると、着用している者の太ももから膝までの距離が伸長するため、違和感を覚えることがあるからである。即ち、ズボンの布地を摘まみ上げないと窮屈な状態になる。
【０００３】
工事現場、建築現場等で作業する作業者にとって、通常の股上から股下までの太さが略同じズボンは、膝の曲げ伸ばしが多い作業には不向きであった。例えば、作業中の発汗により膝、太もも等の身体部位へまとわり付くことが多く、汗をかいた状態で膝を曲げると、ズボンが身体部位の膝、太ももへまとわり付きやすかった。
【０００４】
このような状況から、作業者が、股下の足を入れる筒部分が太い作業ズボンが提案されている。更に、ニッカーボッカーズ、通称ニッカボッカと称される、太ももから膝下部分までが太く、足首部分が細い作業ズボンが提案されている。
【０００５】
このように、身体へのまとわり付きを防止する衣服に関する技術が提案されている。例えば、特許文献１の特開平１０−２５６０５号公報「衣服の伸縮調整構造」のように、衣服に取り付けられたポケットのポケット釦が係合する釦穴を有し、ポケット口を開閉自在に封鎖する上下反転可能なフラップと、このフラップの上方反転でフラップの釦穴と係合可能となっており、且つこの係合で衣服を縮ませる位置に設けられた係止釦と、を備えている衣服の伸縮調整構造が提案されている。
【先行技術文献】
【特許文献】
【０００６】
【特許文献１】特開平１０−２５６０５号公報
【発明の概要】
【発明が解決しようとする課題】
【０００７】
上述した特許文献１の「衣服の伸縮調整構造」によれば、ポケット口を開閉自在に封鎖する上下反転可能なフラップ（雨蓋、つば）のようなポケット口を覆う蓋を必要とするものであり、このようなフラップが取り付けられていないズボンには実施しづらいという問題を有していた。
【０００８】
特許文献１の「衣服の伸縮調整構造」は、身体へのまとわり付きを防止する技術は、作業用ズボンに限定され、日常で着用するズボンには実施できないものであった。即ち、ズボンのデザイン性に制約があるという問題を有していた。
【０００９】
本発明は、かかる問題点を解決するために創案されたものである。すなわち、本発明の目的は、ズボンの股上部分のデザインを変えることで、ズボンの布地が身体部位の膝、太ももへのまとわり付くことを解消することができる違和感解消型ズボンを提供することにある。
【課題を解決するための手段】
【００１０】
本発明は、ズボン（１）の股上（１ａ）の布地を弛ませた状態にすることにより、該ズボン（１）の布地が身体部位の膝、太ももにまとわり付くことを解消する違和感解消型ズボンであって、前記ズボン（１）の布地の股上（１ａ）の開口周縁かつ前開き部分となるフライ（４）の両側に隣接した２か所に、股下（１ｂ）に向けて切込みを入れた切込み凹部（９，１１，１２）を形成し、前記切込み凹部（９，１１，１２）が形成された布地は、該切込み凹部（９，１１，１２）の形状が伸ばされたときに同時に変形するものであり、前記ズボン（１）を人が着用した際に、前記切込み凹部（９，１１，１２）がその人の胴囲で直線状に伸ばされたときに、該切込み凹部（９）に連続した布地が吊り上げられ、股上（１ａ）部分の布地に弛みが生じるように構成した、ことを特徴とする。
【００１１】
前記切込み凹部（９，１１，１２）は前記ズボン（１）のウエストバンド（２）に形成されたものである。
前記切込み凹部（９，１１，１２）は、前記ズボン（１）の股上（１ａ）の開口周縁の布地に湾曲した形状に切込みを入れたものである。
【００１２】
前記ズボン（１）の股下（１ｂ）の下端部（１ｃ）において、前記切込み凹部（９，１１，１２）が形成された側の開口縁（１ｄ）が、該切込み凹部（９）が形成されていない側の開口縁（１ｅ）より下方へ長く形成されたものである。
【発明の効果】
【００１３】
上記構成の本発明では、股上（１ａ）に切込み凹部（９，１１，１２）が形成されているため、ズボン（１）を着用した際に股上（１ａ）部分の布地が、上方に吊り上げられ、かつ弛みが生じた状態になる。その結果、膝を曲げる際に展開するズボン（１）の布地部分を広げることができる。即ち、ズボン（１）の太もも部分の布地に弛みが生じるので、膝の屈伸を行ってもズボン（１）の布地が身体部位の膝、太ももにまとわり付くことがなく、違和感を解消することができる。
一方、通常に歩行する際には、単に弛みが切込み凹部（９，１１，１２）の近くにあるだけで、歩行の邪魔にはならない。
【００１４】
また、本発明では、ズボン（１）の股上のデザインを変えただけなので、作業ズボンに限定されず、通常のおしゃれなズボンにも本発明を実施することができる。
【図面の簡単な説明】
【００１５】
【図１】実施例１の違和感解消型ズボンを示す側面図である。
【図２】実施例１の違和感解消型ズボンを示す正面図である。
【図３】股上の切込み凹部を示す拡大側面図であり、（ａ）はズボン着用前の状態、（ｂ）はズボンを着用して切込み凹部が伸びた状態である。
【図４】実施例１の違和感解消型ズボンを着用している状態を示す側面図である。
【図５】実施例１の違和感解消型ズボンを着用して膝を曲げた状態を示す側面図である。
【図６】切込み凹部の変形例１を示す拡大側面図であり、（ａ）はズボン着用前の状態、（ｂ）はズボンを着用して切込み凹部が伸びた状態である。
【図７】切込み凹部の変形例２を示す拡大側面図であり、（ａ）はズボン着用前の状態、（ｂ）はズボンを着用して切込み凹部が伸びた状態である。
【発明を実施するための形態】
【００１６】
本発明の違和感解消型ズボンは、ズボンの股下の布地を部分的に吊り上げられた状態にすることにより、このズボンの布地が身体部位の膝、太ももにまとわり付くことを解消できるズボンである。
【実施例１】
【００１７】
以下、本発明の好ましい実施の形態を図面を参照して説明する。
＜実施例１の違和感解消型ズボンの構成＞
図１は実施例１の違和感解消型ズボンを示す側面図である。図２は実施例１の違和感解消型ズボンを示す正面図である。
実施例１の違和感解消型ズボン１は、両脚を別々に包む形態の下体衣であり、スラックス、パンタルーン、パンツと称される衣類である。このズボン１は、腰部分の股上１ａの布地と、太もも、膝、脹脛の両脚を包む股下１ｂの布地とから構成される。股上１ａ部分には上から複数のベルトを巻き付けるウエストバンド２と、このウエストバンド２にベルトを通す数か所のベルトループ３と、ズボン１の前開き部分となるフライ４と、前側の折り目となるプリーツ５と、サイドポケット３、サイドポケット６と尻ポケット７とから成る。更に、ズボンには股上１ａから股下１ｂまでの布地の両側面に縫い線のサイド・シーム８があらわれている。図示例のズボン１は一般的なズボン（下体衣）の一例であってこの構成に限定されないことは勿論である。
【００１８】
実施例１のズボン１は、その布地の股上１ａの胴回り部分の開口周縁に、股下１ｂに向けて切込みを入れた切込み凹部９を形成した。例えば、ベルトを巻き付けるウエストバンド２の一部に切込みを形成したものである。
【００１９】
図示例では、ズボン１の股上１ａの前開き部分となるフライ４に隣接してウエストバンド２の２か所に切込み凹部９が形成されたものを示す。この切込み凹部９は、ウエストバンド２に湾曲した形状、即ち半円形状になるように形成した。このように切込み凹部９を半円形状にしたのは、この切込み凹部９が胴囲で直線状に伸ばされた際に、この切込み凹部９即ちウエストバンド２に連続する布地に多数の「しわ」を形成し、弛みを作ることができるからである。
【００２０】
図１と図２に示すように、切込み凹部９の深さ、即ち湾曲部分の最も深い部分Ｌ１は５ｃｍ程度が好ましい。ズボン１を人が着用した際に、切込み凹部９がその人の胴囲で伸ばされたときに、この切込み凹部９即ちウエストバンド２に連続した布地が広範囲に吊り上げられ、股上１ａ部分の布地に弛みが生じるようにするためである。この５ｃｍより浅いと、布地を吊り上げる効果が少なく、弛みも生じにくい。逆に、この５ｃｍより深くしても引き上げの効果が大きくならず、本来のズボン１としてのデザイン性も損なうおそれもあるからである。
【００２１】
本発明では、図１に示すように、切込み凹部９を形成したズボン１を着用した際に、この切込み凹部９（ウエストバンド２）に連続した布地が吊り上げられることを考慮して、ズボン１の股下１ｂの下端部１ｃにおいて、切込み凹部９が形成された側の開口縁１ｄ（前側開口縁）が、この切込み凹部９が形成されていない側の開口縁１ｅ（後側開口縁）より下方へ長くなるように形成した（Ｌ２）。この長さＬ２は、切込み凹部９の深さＬ１と略等しい長さにする。
【００２２】
＜切込み凹部の吊り上げる効果の説明＞
図３は股上の切込み凹部を示す拡大側面図であり、（ａ）はズボン着用前の状態、（ｂ）はズボンを着用して切込み凹部が伸びた状態である。
実施例１のズボン１では、股上１ａに切込み凹部９が形成されているため、股上１ａ部分の布地が、上方に吊り上げられ、かつ弛みが生じた状態になる。その結果、膝を曲げる際に展開するズボン１の布地部分を広げることができる。即ち、ズボン１の太もも部分の布地に弛みが生じるので、膝の屈伸を行ってもズボン１の布地が身体部位の膝、太ももにまとわり付くことがなく、違和感を解消することができる。
【００２３】
切込み凹部９はズボン１の前側、即ちフライ４の両側に形成することが好ましい。本発明は人が膝を曲げるときに、ズボン１の膝部分を少し持ち上げて、膝と太もも部分の違和感を解消することを、ズボン１のデザインで解消するためである。
【００２４】
＜実施例１の違和感解消型ズボンの使用方法＞
図４は実施例１の違和感解消型ズボンを着用している状態を示す側面図である。図５は実施例１の違和感解消型ズボンを着用して膝を曲げた状態を示す側面図である。
実施例１の違和感解消型ズボン１では、股上１ａに切込み凹部９が形成されているため、股上１ａ部分の布地が、上方に吊り上げられ、かつ弛みが生じた状態にすることができる。その結果、膝を曲げる際に展開するズボン１の布地部分を広げることができる。
【００２５】
ズボン１の太もも部分の布地に弛みが生じるので、膝の屈伸を行ってもズボン１が身体部位の膝、太ももにまとわり付くことがなく、違和感を解消することができる。例えば、汗をかいていても、膝、太ももがズボン１の布地に付着せず、又は付着していたら離すことができる。この股上１ａに切込み凹部９の深さＬ１は、図1に示すように、足の長さ、太さに応じて設定する。例えば、足が長い人、太い人用のズボン１は、この間隔Ｌ１を長くする。逆に足が短い人、細い人用のズボン１は、この間隔Ｌ１を短くする。
【００２６】
＜切込み凹部９の変形例１＞
図６は切込み凹部の変形例１を示す拡大側面図であり、（ａ）はズボン着用前の状態、（ｂ）はズボンを着用して切込み凹部が伸びた状態である。
切込み凹部９の形状は、上述した半円形状に限定されない。図５の変形例１に示すように、逆三角形状の切込みにした切込み凹部１１にすることもできる。この略三角形状の切込み凹部１１では、角部分１１ａの布地を大きく吊り上げることができ、この部分に大きな弛みを作ることができる。
【００２７】
＜切込み凹部９の変形例２＞
図７は切込み凹部の変形例２を示す拡大側面図であり、（ａ）はズボン着用前の状態、（ｂ）はズボンを着用して切込み凹部が伸びた状態である。
また、図７の変形例２を示すように、逆台形状の切込みにした切込み凹部１２にすることもできる。この逆台形状の切込み凹部１２では、２か所の角部分１２ａの布地を大きく吊り上げることができ、この２か所に大きな弛みを作ることができる。
なお、切込み凹部９，１１，１２の形状は、半円、逆三角形又は逆台形の形状に限定されないことは勿論である。
【００２８】
＜切込み凹部９の変形例３＞
本発明の切込み凹部９，１１，１２は、ズボン１を着用した際に、この切込み凹部に連続した布地が吊り上げられる構成であればよい。上述したように切込み凹部９，１１，１２は、必ずしもウエストバンド２に形成する必要はない。例えばデザインによってはウエストバンド２がないズボン１にもこの切込み凹部を形成することができる。
【００２９】
なお、本発明は、ズボン１の股上１ａ部分のデザインを変えることで、ズボン１の布地が身体部位の膝、太ももへのまとわり付くことを解消することができる構成であれば、上述した発明の実施の形態に限定されず、本発明の要旨を逸脱しない範囲で種々変更できることは勿論である。
【産業上の利用可能性】
【００３０】
本発明の違和感解消型ズボンは、ベルト通しがあるズボンで、胴囲にフィットさせて着用するズボンであれば利用することができる。
【符号の説明】
【００３１】
１  ズボン
１ｂ  ズボンの股下
１ａ  ズボンの股上
１ｄ  ズボン股下の前側開口縁
１ｅ  ズボン股下の後側開口縁
２  ウエストバンド
９，１１，１２  切込み凹部
【要約】
【課題】ズボンの股上部分のデザインを変えることで、ズボンの布地が膝、太もも等の身体部位へまとわり付くことを解消する。
【解決手段】ズボン１の布地の股上１ａの開口周縁（ウエストバンド２）に、股下１ｂに向けて切込みを入れた切込み凹部９を形成し、ズボン１を人が着用した際に、切込み凹部９がその人の胴囲で伸ばされたときに、切込み凹部９に連続した布地が吊り上げられ、股上１ａ部分の布地に弛みが生じるように構成して、ズボン１の股上１ａの布地を弛ませた状態にすることにより、ズボン１の布地が膝、太もも等の身体部位にまとわり付くことを解消する。
【選択図】図１【図１】
0005805292.tif 000002
【図２】
0005805292.tif 000003
【図３】
0005805292.tif 000004
【図４】
0005805292.tif 000005
【図５】
0005805292.tif 000006
【図６】
0005805292.tif 000007
【図７】
0005805292.tif 000008